(57)【特許請求の範囲】
【請求項１】
法面の傾斜方向に形成された縦排水溝と、前記法面の小段に沿って長手方向に形成された小段排水溝と、該小段排水溝と前記縦排水溝との合流地点に設けられた集水枡とを有する法面排水構造において、
前記小段近傍の前記法面上の斜面から前記小段に架けて前記小段排水溝を跨ぐように、第１の網目状部材が傾斜状に配されると共に、
落ち葉類が、表流水の水勢によって前記第１の網目状部材上を滑動し前記小段に堆積されることを特徴とする法面排水構造。
【請求項２】
前記第１の網目状部材は、一端が前記小段近傍の前記法面上に固定されると共に、他端は前記小段に固定されていることを特徴とする請求項１記載の法面排水構造。
【請求項３】
係合部材が、前記小段排水溝の内壁乃至該内壁の近傍に設けられると共に、前記第１の網目状部材は、前記係合部材に係止されていることを特徴とする請求項１又は請求項２記載の法面排水構造。
【請求項４】
第２の網目状部材が、前記縦排水溝を跨ぐように配されていることを特徴とする請求項１乃至請求項３のいずれかに記載の法面排水構造。
【請求項５】
前記第２の網目状部材は、半円状に湾曲されていることを特徴とする請求項４記載の法面排水構造。
【発明の詳細な説明】
【技術分野】
【０００１】
本発明は、法面排水構造に関する。
【背景技術】
【０００２】
宅地造成や道路建設等では、切土や盛土などにより人工的な斜面である法面が形成される。この法面には、通常、斜面安定性の確保等を意図して所定高さ毎に小段が設けられている。そして、法面の傾斜方向には縦排水溝が形成されると共に、小段の長手方向には小段排水溝が形成され、さらに、前記縦排水溝と前記小段排水溝との合流地点には集水枡が設けられており、これにより水路を形成している。そして、集中豪雨や暴風雨等（以下、「集中豪雨等」という。）が発生しても、法面を流れる表流水は縦排水溝や小段排水溝を介して集水桝に集水されて外部に排水され、これにより法面の一部に局所的に水が集中するのを回避し、法面浸水による法面崩壊を未然に防止しようとしている。
【０００３】
ところで、近年では環境面等に配慮し、法面に植生工が施されることが多い。このような植生工が施された法面では、その斜面に落ち葉、枯れ枝、小枝、その他の異物ゴミ（以下、「落ち葉類」という。）が散在しており、また、集中豪雨が発生すると、大量の落ち葉類が法面の斜面に落下し、表流水と共に法面下方に流れ、小段排水溝に流入し、集水桝に案内される。
【０００４】
しかしながら、この場合、落ち葉類の一部が集水桝入口に引っ掛かって通水性を阻害し、このため集水桝から水が溢れて法面の一部に集中的に水が供給され、法面崩壊を招くおそれがある。特に、集水桝にはコンクリート製の蓋が被せられているため、縦排水溝や小段排水溝との接合部の断面積が小さく、落ち葉類は集水桝入口に引っ掛かりやすい。
【０００５】
そこで、特許文献１には、法面の傾斜方向に延びる縦排水溝における流路上に、法面の小段に沿って延びる小段排水溝を接続させる合流部が設けられた法面排水溝であって、 前記縦排水溝における前記合流部への流入部分の底部において、該縦排水溝の底面勾配を異ならせて流下水にジャンプ作用を及ぼすジャンプ部を設けた法面排水溝が提案されている。
【０００６】
特許文献１では、集中豪雨等時には縦排水溝を流下する流量及び流速が大きくなって小段排水溝から集水桝への流入が難しくなり、小段排水溝で処理しきれなくなった表流水が小段排水溝から溢れ出すことから、縦排水溝における小段排水溝との合流部近傍にジャンプ部を設け、これにより集中豪雨等が発生しても、縦排水溝および小段排水溝を通じての法面排水量を増大させ、小段排水溝の溢水に起因した法面崩落を防止しようとしている。
【０００７】
また、集水桝での溢水を防止しようとした技術としては、特許文献２も知られている。
【０００８】
すなわち、特許文献２には、集水桝の上方の上部法面に設置の縦排水溝の底面に縦方向のバイパス排水溝の底面の上端を設置し、バイパス排水溝を小段に設置の集水桝の上を通してスルーパスさせ、スルーパス後のバイパス排水溝の底面をパンチングメタルから形成し、パンチングメタルからなるバイパス排水溝の底面の下端部を小段の下部法面に設置の縦排水溝の上に設けた法面排水機構が提案されている。
【０００９】
この特許文献２では、縦排水溝上にバイパス排水溝を設けることにより、集水桝が大量の雨水で溢れて周辺に溢流するのを防止しようとしている。
【先行技術文献】
【特許文献】
【００１０】
【特許文献１】特開２０１２−２１５００３号公報（請求項１、段落[０００４]〜[０００６]、[００２８]、図２等）
【特許文献２】特開２０１５−９００１０号公報（請求項１、段落[００１２]、図１）
【発明の概要】
【発明が解決しようとする課題】
【００１１】
しかしながら、特許文献１では、縦排水溝における小段排水溝との合流部近傍にジャンプ部を設け、小段排水溝の溢水に起因する法面崩落を防止しようとしているものの、既設の水路にジャンプ部を設けるには、別途大規模な工事が必要となる。  
【００１２】
また、特許文献２では、縦排水溝にバイパス排水溝を設けることにより、縦排水溝の溢流を防止しようとしたものであり、落ち葉類の集水桝での引っ掛かりに起因した通水阻害の防止を意図するものではない。
【００１３】
しかも、集中豪雨等時で法面上に落下した大部分の落ち葉類は、表流水と共に法面下方に流れて小段排水溝に流入することから、落ち葉類は集水桝入口で引っ掛かるのみならず、小段排水溝内に堆積し、このためこれら落ち葉類によって小段排水溝や集水桝を閉塞してしまうおそれがある。したがって、このような落ち葉類による通水阻害を防止するためには、特許文献１や特許文献２のような縦排水溝側で対処するのではなく、小段排水溝側で対処するのが望ましいと考えられる。
【００１４】
また、法面の水路を定期的に清掃していても、集中豪雨等時は危険性が増すため、水路に近づくことはできず、したがって、既設の法面に対しその崩壊を未然に防止するための有効な対処法が要請される。
【００１５】
このような対処法としては、既設の小段排水溝にコンクリート蓋やグレーチングを被せる方法が考えられる。
【００１６】
しかしながら、小段排水溝にコンクリート蓋を被せる方法は、コンクリート蓋が高価な上に水が小段排水溝に流入し難くなり、また、落ち葉類がコンクリート蓋上に滞留して排水が困難になる。また、小段排水溝にグレーチングを被せる方法は、グレーチングには多数の大穴が貫設されているため、表流水は小段排水溝に流入しやすくなるが、コンクリート蓋と比較してもコスト的に高価になる。
【００１７】
本発明はこのような事情に鑑みなされたものであって、簡単な工夫でもって、集中豪雨等が生じても、水路や集水桝が落ち葉類で閉塞されるのを極力回避し、法面崩壊を未然に防止することができる法面排水構造を提供することを目的とする。
【課題を解決するための手段】
【００１８】
上記目的を達成するために本発明に係る法面排水構造は、法面の傾斜方向に形成された縦排水溝と、前記法面の小段に沿って長手方向に形成された小段排水溝と、該小段排水溝と前記縦排水溝との合流地点に設けられた集水枡とを有する法面排水構造において、前記小段近傍の前記法面上の斜面から前記小段に架けて前記小段排水溝を跨ぐように、第１の網目状部材が傾斜状に配されると共に、落ち葉類が、表流水の水勢によって前記第１の網目状部材上を滑動し前記小段に堆積されることを特徴としている。
【００１９】
また、本発明の法面排水構造は、前記第１の網目状部材は、一端が前記小段近傍の前記法面上に固定されると共に、他端は前記小段に固定されていることを特徴としている。
【００２０】
また、本発明の法面排水構造は、係合部材が、前記小段排水溝の内壁乃至該内壁の近傍に設けられると共に、前記第１の網目状部材は、前記係合部材に係止されていることを特徴としている。
【００２１】
さらに、本発明の法面排水構造は、第２の網目状部材が、前記縦排水溝を跨ぐように配されていることを特徴としている。
【００２２】
また、本発明の法面排水構造は、前記第２の網目状部材が、半円状に湾曲されていることを特徴としている。
【発明の効果】
【００２３】
本発明の法面排水構造によれば、小段近傍の法面上の位置から前記小段に架けて小段排水溝を跨ぐように、第１の網目状部材が傾斜状に配されると共に、落ち葉類が、表流水の水勢によって前記第１の網目状部材上を滑動し前記小段に堆積されるので、集中豪雨等が生じ、法面上の落ち葉類が表流水と共に法面を傾斜方向に流れても、表流水は小段排水溝に流れ込む一方、落ち葉類は表流水の水勢によって傾斜状に配された第１の網目状部材上を滑動して小段に載置され、小段上に堆積する。すなわち、集中豪雨等が発生しても落ち葉類が小段排水溝に流入するのを極力回避することができ、大量の落ち葉類が小段排水溝に堆積したり、落ち葉類が集水桝の入口で引っ掛かるのを回避することができる。そして、小段上に堆積した落ち葉類は、集中豪雨等が過ぎ去った後に小段を清掃し、落ち葉類を除去することにより、法面を集中豪雨前の状態に容易に復元できる。
【００２４】
このように本発明によれば、既設の水路に簡単な改良を施し、集中豪雨等が生じても落ち葉類を小段上に一時的に堆積させることにより、小段排水溝や集水桝が落ち葉類によって閉塞されるのを回避することができ、これにより通水性を確保でき、法面崩壊を未然に防ぐことが可能となる。
【００２５】
また、本発明の法面排水構造は、前記第１の網目状部材は、一端が前記小段近傍の前記法面上に固定されると共に、他端は前記小段に固定されており、これにより法面の地盤が硬い場合には、第１の網目状部材の両端を固定するのみで第１の網目状部材を堅固に固定することができる。
【００２６】
また、本発明の法面排水構造は、係合部材が、前記小段排水溝の内壁乃至該内壁の近傍に設けられると共に、前記第１の網目状部材は、前記係合部材に係止されることにより、法面の地盤が軟弱な場合であっても、第１の網目状部材にズレが生じたり、第１の網目状部材が小段排水溝上で過度に撓むのを防止でき、第１の網目状部材の強度を確保することができる。
【００２７】
さらに、本発明の法面排水構造は、第２の網目状部材が、前記縦排水溝を跨ぐように配されているので、縦排水溝にも大きな落ち葉類が流入するのを防止することができ、水路や集水桝でのより一層の通水性を確保することが可能となる。
【００２８】
また、本発明の法面排水構造は、前記第２の網目状部材が、半円状に湾曲されているので、簡易な構造で縦排水溝への落ち葉類の流入を防止することができる。
【図面の簡単な説明】
【００２９】
【図１】本発明に係る法面排水構造の一実施の形態（第１の実施の形態）を模式的に示す平面図である。
【図２】図１のＡ−Ａ矢視断面図である。
【図３】図２のＢ部拡大断面図である。
【図４】第１の実施の形態の第１の変形例である。
【図５】第１の実施の形態の第２の変形例である。
【図６】本発明に係る法面排水構造の第２の実施の形態を示す平面図である。
【図７】第２の実施の形態のＤ−Ｄ矢視断面図である。
【発明を実施するための形態】
【００３０】
次に、本発明の実施の形態を図面に基づき詳説する。
【００３１】
図１は、本発明に係る法面排水構造の一実施の形態（第１の実施の形態）を模式的に示す平面図であり、図２は、図１のＡ−Ａ矢視断面図である。
【００３２】
この法面排水構造は、法面１の傾斜方向に形成された凹状の縦排水溝２と、法面１の小段３に沿って長手方向に形成された凹状の小段排水溝４と、小段排水溝４と縦排水溝２との合流地点に設けられた集水枡５とを有している。また、法面１の斜面１ａには、環境等の配慮から樹木等の緑化材６が植生されている。
【００３３】
図３は、図１のＢ部拡大図である。
【００３４】
すなわち、この法面排水構造は、図３に示すように、小段３近傍の法面１上の斜面１ａから前記小段３に架けて小段排水溝４を跨ぐようにメッシュ状の第１の網目状部材７が傾斜状に配されている。具体的には、この第１の網目状部材７は、落ち葉類が小段排水溝４に落下するのを極力回避できるように、前記小段排水溝４の略全域に亙って配されており、アンカーピンやボルト等の固着具８ａ、８ｂにより一端は斜面１ａに固定されると共に、他端は小段３に固定されている。
【００３５】
尚、第１の網目状部材７の目開きは、大きな落ち葉類が小段排水溝４に落下して該小段排水溝４の通水性を妨げないような大きさであればよく、例えば１０〜３０ｍｍ程度の目開きのものを使用することができる。
【００３６】
また、第１の網目状部材７の材質も特に限定されるものではなく、金属製、樹脂製等、いずれであってもよい。
【００３７】
このように構成された法面排水構造では、小段３近傍の法面１上の斜面１ａから前記小段３に架けて小段排水溝４を跨ぐように第１の網目状部材７が傾斜状に配されると共に、落ち葉類が、表流水の水勢によって第１の網目状部材７上を滑動し小段３に堆積されるので、集中豪雨等が発生し、緑化材６からの落ち葉類が表流水と共に法面１を傾斜方向に流れても、表流水は第１の網目状部材７を介して小段排水溝４に流れ込む一方で、落ち葉類は表流水の水勢によって、矢印Ｃに示すように、傾斜状に配された第１の網目状部材７を滑動して小段３上に載置され、落ち葉類９は小段３上に堆積する。すなわち、集中豪雨等が発生しても落ち葉類９が小段排水溝４に流入するのを極力回避することができ、大量の落ち葉類９が小段排水溝４内に堆積したり、落ち葉類９が集水桝５の入口で引っ掛かるのを回避することができる。そして、小段３上に堆積した落ち葉類９は、集中豪雨等が過ぎ去った後に小段３を清掃し、落ち葉類９を除去することにより、法面を集中豪雨前の状態に容易に復元できる。
【００３８】
このように本実施の形態によれば、既設の水路に簡単な改良を施し、集中豪雨等が生じても落ち葉類９を小段３上に一時的に堆積させることにより、小段排水溝４や集水桝５が落ち葉類９によって閉塞されるのを回避することができ、これにより通水性を確保でき、法面崩壊を未然に防ぐことが可能となる。
【００３９】
図４は、第１の実施の形態の第１の変形例を示す要部拡大断面図である。
【００４０】
この第１の変形例では、係合部材１０ａ、１０ｂが、小段排水溝４の内壁近傍の小段３に打設されると共に、第１の網目状部材７は、前記係合部材１０ａ、１０ｂに係止されている。すわなち、係合部材１０ａ、１０ｂは、例えば頭部が鍔状に形成されたピン状を有しており、該係合部材１０ａ、１０ｂは第１の網目状部材７に挿通されて前記小段３に打設されると共に、第１の網目状部材７は係合部材１０ａ、１０ｂの頭部で係止されている。
【００４１】
このように第１の変形例では、係合部材１０ａ、１０ｂが、小段排水溝３の内壁近傍に設けられると共に、第１の網目状部材７は、係合部材１０ａ、１０ｂに係止されているので、法面１の地盤が軟弱な場合であっても、第１の網目状部材７にズレが生じたり、第１の網目状部材７が小段排水溝４上で過度に撓むのを防止でき、第１の網目状部材７の強度を確保することができる。すなわち、法面１の地盤が硬い場合には、第１の網目状部材７の両端を固定するのみで十分であるが、法面１の地盤が軟弱な場合や、法面１の性状によって第１の網目状部材７の傾斜方向の寸法を長くせざるを得ない場合は、両端を固着具８ａ、８ｂで固着するのみならず、第１の網目状部材７を係合部材１０ａ、１０ｂで係止することにより、第１の網目状部材７にズレが生じたり、第１の網目状部材７が小段排水溝４上で過度に撓むのを防止でき、第１の網目状部材７の強度を確保することができる。
【００４２】
尚、この第１の変形例では、係合部材１０ａ、１０ｂを小段排水溝４の近傍域の小段３に打設しているが、集中豪雨等で第１の網目状部材７が吹き飛ばされない構造であれば、特に限定されるものではなく、例えば、係合部材１０ａ、１０ｂを小段排水溝４の内壁に沿うように配し、係合部材１０ａ、１０ｂが内壁側に引っ張られるように第１の網目状部材７に張力を持たせるような構成としてもよい。
【００４３】
図５は第１の実施の形態の第２の変形例を示す要部拡大図である。
【００４４】
この第２の変形例では、水切りコンクリート１１により法面１に法枠１２が形成された場合を示している。
【００４５】
この場合は、第１の網目状部材７は、一端が固着具８ａを介して水切りコンクリート１１に固定され、他端は固着具８ｂを介して小段３に固定されている。
【００４６】
このように法面１の斜面に法枠１２が形成されている場合は、一端を水切りコンクリート１１に固定することにより、第１の網目状部材７の傾斜方向の寸法を短くすることが可能である。
【００４７】
図６は、本発明に係る法面排水構造の第２の実施の形態を模式的に示す平面図であり、図７は図６のＤ−Ｄ矢視断面図である。
【００４８】
この第２の実施の形態では、第１の実施の形態に加え、第２の網目状部材１３が縦排水溝２を跨ぐように配されている。すなわち、第２の網目状部材１３は、第１の網目状部材７と同様にメッシュ状に形成されると共に、図７に示すように半円状に湾曲されてアンカーピンやボルト等の固着具１４ａ、１４ｂにより法面１上に固定されている。
【００４９】
尚、第２の網目状部材１３の目開きや材質についても、第１の網目状部材と同様、特に限定されるものでないのはいうまでもない。
【００５０】
このように第２の網目状部材１３を、縦排水溝２を跨ぐように該縦排水溝２と対向状に配することにより、縦排水溝２への落ち葉類の流入を防ぐことができる。すなわち、小段排水溝４に比べ、縦排水溝２には法面１の斜面からの落ち葉類の流入量は少ないと考えられるが、本第２の実施の形態のように縦排水溝２にも該縦排水溝２を跨ぐように第２の網目状部材１３を配することにより、大きな落ち葉類が縦排水溝２に流入するのを防止することができ、水路や集水桝でのより一層の通水性を確保することが可能となる。
【００５１】
尚、本発明は、上記実施の形態に限定されるものではない。例えば、上述した第１の実施の形態における第２の変形例でも、必要に応じ第１の変形例と略同様の係合部材を設けることができる。また、施工現場に応じ第１及び第２の網目状部材７、１３の上面又は下面等を適宜の補強材で補強するのも好ましい。
【産業上の利用可能性】
【００５２】
集中豪雨が生じても、植生工が施された既設の法面の法面崩壊を未然に防止する。
【符号の説明】
【００５３】
１    法面
２    縦排水溝
３    小段
４    小段排水溝
５    集水枡
７    第１の網目状部材
１０ａ、１０ｂ  係合部材
１３  第２の網目状部材
【要約】
【課題】簡単な工夫でもって、集中豪雨等が生じても、水路や集水桝が落ち葉類で閉塞されるのを極力回避し、法面崩壊を未然に防止することができるようにする。
【解決手段】法面１の傾斜方向に縦排水溝を形成し、法面１の小段３に沿って長手方向に小段排水溝４を形成し、小段排水溝４と縦排水溝との合流地点に集水桝を設け、これにより水路工を形成している。小段３近傍の法面１上の斜面１ａから小段３に架けて小段排水溝４を跨ぐように、第１の網目状部材７が傾斜状に配されている。
【選択図】図３【図１】
0005832005.tif 000002
【図２】
0005832005.tif 000003
【図３】
0005832005.tif 000004
【図４】
0005832005.tif 000005
【図５】
0005832005.tif 000006
【図６】
0005832005.tif 000007
【図７】
0005832005.tif 000008